(57)【特許請求の範囲】
【請求項１】
魚類等の水産動物を飼育する水槽を収容する屋内を照明する照明装置と、前記照明装置に通常電源を供給する商用電源とを備え、停電等により商用電源からの電源供給が停止する非常時に、前記照明装置に非常電源を供給するように構成した人工飼育施設における光源制御装置において、
前記照明装置とは別途で設けた非常用照明装置と、前記非常用照明装置に電源を供給する無停電電源装置とを備え、
水産動物を飼育する通常時には、前記商用電源により、前記照明装置を点灯させ、前記無停電電源装置により、前記非常用照明装置を点灯させ、
非常時には、前記非常用照明装置が点灯した状態を維持しつつ、前記照明装置を次第に減光させ、
復電時には、前記商用電源が所定時間以上安定した後に、前記照明装置を次第に増光させて全点灯を行うことを特徴とする人工飼育施設における光源制御装置。
【発明の詳細な説明】
【技術分野】
【０００１】
本発明は、人工飼育施設における光源制御装置に関する。
【背景技術】
【０００２】
水産資源の減少により、近年では、栽培漁業や養殖漁業の分野において、栽培漁業や養殖対象種の親魚（飼育魚）が、安定して産卵し大量に質の良い卵を得るとともに、養殖や放流に必要な稚魚を安定して生産する技術開発が行われている（例えば、特許文献１参照）。
【０００３】
かかる稚魚の飼育にとって、親魚を人工飼育するということは、稚魚を育てる第一歩にあたる重要なことである。飼育魚を育てるには飼育魚の産卵期のコントロールと、飼育環境の管理が不可欠である。
【０００４】
飼育魚の人工飼育には、多くの条件必要であるが、その中でも光等の環境条件は特に重要である。そこで、飼育魚を飼育する水槽が収容された施設には、飼育用として蛍光灯等の照明装置が使用されている。
【０００５】
飼育魚の人工飼育時（通常時）、照明装置は商用電源から電源が供給されているが、落雷等による停電時等の異常時には、商用電源から電源が供給されなくなる。そのため、異常時には発電機により照明装置に電源を供給するようにしている。
【０００６】
また、停電時において照明装置の制御を行うことも公知である（例えば、特許文献２参照）。
【先行技術文献】
【特許文献】
【０００７】
【特許文献１】特開２００７−８２４６６号公報
【特許文献２】特開２００７−８８６７０号公報
【発明の概要】
【発明が解決しようとする課題】
【０００８】
前記従来の照明装置は、図６に示すように落雷等による停電が発生した場合に、商用電源からの電源供給が停止し、照明装置の照明が突然消える。その照明装置の消灯後に所定時間経過後（例えば３０秒程度経過後）に、発電機電源を供給して照明装置を点灯させる。
【０００９】
このように、照明装置の照明が突然消えるため、飼育魚がパニックを起こし、水槽壁への衝突やストレスを受けるおそれがある。また、光の刺激は特に飼育魚に関して、採卵に大きな影響が考えられる。
【００１０】
なお、停電だけでなく復電の際も同様の問題が生じるため、一回の停電につき２回光刺激が生じる。
【００１１】
さらに、落雷等の停電では、１日に数度発生することもまれではないため、採卵の重要な時間等では非常に重要な問題である。
【００１２】
また、特許文献２に記載の照明装置の制御は、停電時における消費電力を抑えるものであり、かかる照明装置の制御を飼育魚等の人工飼育の施設に採用しても、前記問題を解決できるものではない。
【００１３】
そこで、本願発明は、停電時等の異常に照明装置の照明が突然消灯したり、突然点灯したりするの防止することにより、飼育魚等の飼育環境が照明装置の光で悪影響を受けるのを可及的に防止することを課題とする。
【課題を解決するための手段】
【００１４】
本発明は、前記課題を解決するためになされたもので、魚類等の水産動物を飼育する水槽を収容する屋内を照明する照明装置と、前記照明装置に通常電源を供給する商用電源とを備え、停電等により商用電源からの電源供給が停止する非常時に、前記照明装置に非常電源を供給するように構成した人工飼育施設における光源制御装置において、前記照明装置とは別途で設けた非常用照明装置と、前記非常用照明装置に電源を供給する無停電電源装置とを備え、水産動物を飼育する通常時には、前記商用電源により、前記照明装置を点灯させ、前記無停電電源装置により、前記非常用照明装置を点灯させ、非常時には、前記非常用照明装置が点灯した状態を維持しつつ、前記照明装置を次第に減光させ、復電時には、前記商用電源が所定時間以上安定した後に、前記照明装置を次第に増光させて全点灯を行うことにある。
【００１５】
かかる本実施の形態は、非常用照明装置の点灯により、停電時においても所定照度を維持することができる。
【００１６】
本発明は、魚類等の水産動物を飼育する水槽を収容する屋内を照明する照明装置と、該照明装置に通常電源を供給する商用電源とを備え、停電等により商用電源からの電源供給が停止した時に、前記照明装置に非常電源を供給するように構成した人工飼育施設における光源制御装置において、商用電源からの電源供給停止時に、停電することなく照明装置の照度を次第に減光する電源制御装置を備えたことにある。
【００１７】
かかる本発明は、停電が発生しても、照明が突然消えたりするのを防止できる。
【００１８】
しかも、商用電源からの通常電源供給を行う復電時には、前記電源制御装置が次第に増光を行うのが好ましい。かかる本発明は、復電時に突然点灯するのを防止することができる。
【００１９】
本発明は、魚類等の水産動物を飼育する水槽を収容する屋内を照明する照明装置と、該照明装置に通常電源を供給する商用電源とを備え、停電等により商用電源からの電源供給が停止した時に、前記照明装置に非常電源を供給するように構成した人工飼育施設における光源制御装置において、再び通常電源供給を行う復電時に次第に増光を行う電源制御装置を備えたことにある。
【発明の効果】
【００２０】
本発明は、停電時に照明が突然消えたり、または復電時に照明が突然点灯したりすることがないので、魚類等の水産動物の飼育環境が照明装置の光で悪影響を受けるのを可及的に防止することができる。
【図面の簡単な説明】
【００２１】
【図１】本発明の一実施の形態に係る人工飼育施設における光源制御装置の概略を示すブロック図である。
【図２】同光源制御装置の運用方法の処理手順例を示すフローチャートである。
【図３】同光源制御装置における時間経過を示す概略図である。
【図４】本発明の他の実施の形態に係る人工飼育施設における光源制御装置の概略を示すブロック図である。
【図５】同光源制御装置における時間経過を示す概略図である。
【図６】従来の人工飼育施設における光源制御装置における時間経過を示す概略図である。
【発明を実施するための形態】
【００２２】
以下、本発明の実施形態について図面を参照しながら説明する。図１〜図３は本発明の一実施の形態を示す。
【００２３】
図１は、本実施の形態にかかる人工飼育施設における光源制御装置の概略を示すブロック図、図２は、光源制御装置の運用方法の処理手順例を示すフローチャート、図３は、光源制御装置における時間経過を示す概略図である。
【００２４】
図１に示す人工飼育施設の光源制御装置１は、例えば日本の養殖魚の代表種であるブリ類（ブリ、カンパチ）、クエ等を対象に、養殖や放流に必要な稚魚を安定して生産する施設に採用されるもので、照明装置２、無停電電源装置（ＵＰＳ）５、調光制御装置７、発電機８、商用電源１０とを備えている。
【００２５】
照明装置２は、飼育魚が飼育される水槽１１が収容された屋内を照明するもので、屋内の天井等に適宜設けられている。水槽１１は、施設の規模や魚類により任意の個数が設けられている。照明装置２は、１水槽あたり４０ワットの蛍光灯を３０〜４０本設置し、照度が任意調整可能になっている。
【００２６】
無停電電源装置５は、停電や電力障害（停電等）の異常が発生しても一定時間は停電することなく電力を供給し続ける電源装置である。かかる無停電電源装置５は、例えば整流器とインバータとバッテリとから構成され、商用電源１０から電源を一部もらっており、通常時は商用電源と同期しながらインバータを通して負荷にＣＶＣＦ（定電圧定周波）の安定した電力を供給し続けることもできる。
【００２７】
停電発生時にもバッテリによりインバータは連続的に運転し、常に無瞬断の電力を供給するようになっている。
【００２８】
調光制御装置７は、無停電電源装置５から供給される電力により、設定時間後に照度がゼロとなるように照明装置２の制御を行うもので、無停電電源装置５に接続されるプログラマブルロジックコントロール７１と、このプログラマブルロジックコントロール７１により蛍光灯電源をコントロールする調光ユニット７２とを備えている。なお、無停電電源装置５および調光制御装置７により電源制御装置１２が構成されている。
【００２９】
次に、前記構成からなる人工飼育施設における光源制御装置の運用方法の処理手順を、図２および図３を参照しながら説明する。
【００３０】
飼育魚を飼育する通常時には、商用電源１０から供給される電力（通常電源）により、照明装置２が点灯し、屋内を照明する（Ｓ１０１）。
【００３１】
電源制御装置１２が停電と判断した時には（Ｓ１０２）、所定の照度で照明装置２が点灯していたことを確認した後に（Ｓ１０３）、照明装置２の照度を低下させてフェードアウトを開始する（Ｓ１０４）。
【００３２】
さらに、復電したか否かを判断し（Ｓ１０５）、復電していない場合には、フェードアウトを継続することとなり（Ｓ１０６）、消灯が完了する（Ｓ１０７）。このように、停電により商用電源１０から常時電源が供給されなくなるが、電源制御装置１２は、停電が発生しても一定時間は停電することなく電力を供給し続けるため、照明装置２を次第に減光することができる。
【００３３】
また、ステップＳ１０３において照明状態が点灯中でないと判断し、且つ照明装置２がフェードアウト中であることを確認した場合にも（Ｓ１０８）、フェードアウトを継続する。
【００３４】
停電から所定時間（例えば、３０秒経過後）に発電機８を作動させる。この発電機電源は、照明装置２のフェードアウト時の電力や、照明装置２以外の機器の電源として使用できる。
【００３５】
電源制御装置１２が復電を検知し商用電源が所定時間（例えば５分）以上安定した場合には、商用電源１０から供給される電力により、フェードインを開始し（Ｓ１０９）、照明装置２の照度を緩やかに上げて（次第に増光して）所定時間経過後に全点灯を行う（Ｓ１１０）。
【００３６】
このように、停電が発生しても、照明が突然消えたり、突然点灯したりしないので、飼育魚がパニックを起こすことがほとんどなく、水槽壁への衝突やストレスを受けるおそれもない。また、光の刺激がなくなるので、特に親魚に関して、採卵に影響が無くなる利点がある。
【００３７】
なお、本実施の形態は、照明の減光および増光の両方の機能を備えた場合を例示したが、いずれか一方の機能を備えた場合であってよい。このように照明の減光および増光の一方を行う場合であっても、前記効果を期待できる。
【００３８】
本発明は、前記実施の形態に限定されるものではない。例えば、図４および図５に本発明の他の実施の形態を示す。なお、前記実施の形態と同一部材は、同一符号を付してそれぞれの説明は省略する。
【００３９】
本実施の形態は、図４に示すように全照明最大点灯時での停電でも完全に照度がゼロとならにように、主照明装置２Ａとは別途で設ける非常用照明装置２Ｂだけを点灯させる構成である。その非常用照明装置２Ｂの電源は、主照明装置２Ａとは別系統の無停電電源装置５を採用しても、同じ無停電電源装置５を接続することも可能であり、主照明装置２Ａもバックアップ電源を供給することが可能である。
【００４０】
そして、図５に示すように通常時には、商用電源１０から供給される電力により、照明装置２Ａが点灯する。また、無停電電源装置５から供給される電力により、非常用照明装置２Ｂが点灯する。
【００４１】
停電時には、商用電源１０から常時電源が供給されなくなるため、主照明装置２Ａは消灯するが、無停電電源装置５は電力を供給し続けるため、非常用照明装置２Ｂは点灯した状態を維持する。なお、このとき、非常用照明装置２Ｂの照度は、通常時の全照明最大点灯時での略１０％である。
【００４２】
復電すると、商用電源１０から常時電源が供給される。商用電源が所定時間（例えば５分）以上安定した場合には、商用電源１０から供給される電力により、照明装置２Ａの照度を緩やかに上げてフェードインを開始し、所定時間経過後に全点灯を行う。
【００４３】
このように、本実施の形態は、非常用照明装置２Ｂの点灯により、停電時においても所定照度を維持するため、前記実施の形態と同様に、飼育魚がパニックを起こすことがほとんどなく、水槽壁への衝突やストレスを受けるおそれもない。また、特に親魚に関して、採卵に影響が無くなる利点がある。
【符号の説明】
【００４４】
１      光源制御装置
２      照明装置
２Ａ    主照明装置
２Ｂ    非常用照明装置
５      無停電電源装置
７      調光制御装置
８      発電機
１０    商用電源
１１    水槽
１２    電源制御装置
【図１】
0005462831.tif 000002
【図２】
0005462831.tif 000003
【図３】
0005462831.tif 000004
【図４】
0005462831.tif 000005
【図５】
0005462831.tif 000006
【図６】
0005462831.tif 000007